(57)【要約】【課題】発光素子からの熱を放散しつつ、小型化できる光源ユニットを提供する。【解決手段】光源ユニット１００は、光源部１１０と、ベース部１５０と、放熱部１２０とを備える。光源部１１０は、発光素子１１１を含む。ベース部１５０は、第１貫通孔１５３を有する。ベース部１５０には、光源部１１０が固定されている。放熱部１２０は、発光素子１１１からの熱を放散する。放熱部１２０は、発光素子１１１の実装面１１８ａの反対面１１８ｂの側に配置され、発光素子１１１から離れるように第１貫通孔１５３を貫通している。【選択図】図８
2017183066.tif 000002
【特許請求の範囲】
【請求項１】
発光素子を含む光源部と、
第１貫通孔を有し、前記光源部が固定されているベース部と、
前記発光素子からの熱を放散する放熱部と
を備え、
前記放熱部は、前記発光素子の実装面の反対面の側に配置され、前記発光素子から離れるように前記第１貫通孔を貫通している、光源ユニット。
【請求項２】
前記光源部は、前記実装面と前記反対面とを有する基板をさらに含み、
前記放熱部は、
前記基板の前記反対面に対向し、前記基板が配置されている配置部と、
前記発光素子から離れるように、前記配置部から延びている本体部と
を含み、
前記本体部は、前記第１貫通孔を貫通しており、
前記配置部は、前記本体部の側面に対して張り出している張出部を含む、請求項１に記載の光源ユニット。
【請求項３】
前記ベース部は、前記張出部が嵌合している嵌合部を含み、
前記嵌合部は、前記第１貫通孔の周縁に配置されている、請求項２に記載の光源ユニット。
【請求項４】
前記光源部は、
開口を有し、前記開口から前記発光素子が露出するように前記基板を保持する保持部をさらに含み、
前記保持部は、前記ベース部に固定されている、請求項２または請求項３に記載の光源ユニット。
【請求項５】
前記保持部は、前記基板を収容する凹部を含む請求項４に記載の光源ユニット。
【請求項６】
前記光源部を覆うカバーをさらに備え、
前記カバーは、前記光源部に固定されている、請求項１から請求項５のいずれか１項に記載の光源ユニット。
【請求項７】
請求項１に記載の光源ユニットと、
前記光源ユニットが装着される装着部材と
を備え、
前記光源ユニットは、前記装着部材に対して着脱自在である、光源装置。
【請求項８】
前記装着部材は、前記第１貫通孔に連通している第２貫通孔を有し、
前記光源部は、前記実装面と前記反対面とを有する基板をさらに含み、
前記放熱部は、
前記基板の前記反対面に対向し、前記基板が配置されている配置部と、
前記発光素子から離れるように、前記配置部から延びている本体部と
を含み、
前記本体部は、
前記第２貫通孔に配置されている胴部と、
前記第２貫通孔から突出している突出部と
を含む、請求項７に記載の光源装置。
【請求項９】
前記装着部材は、前記突出部に対向している少なくとも２つの通気口をさらに有する、請求項８に記載の光源装置。
【請求項１０】
前記装着部材は、前記装着部材と前記胴部との間に間隙を有するように、前記胴部を囲んでいる、請求項８に記載の光源装置。
【請求項１１】
請求項７から請求項１０のいずれか１項に記載の光源装置を備える、照明器具。
【発明の詳細な説明】
【技術分野】
【０００１】
本発明は、光源ユニット、光源装置、及び照明器具に関する。
【背景技術】
【０００２】
特許文献１に記載されたＬＥＤ光源ユニットは、ＬＥＤモジュールと、ＬＥＤモジュールが固定される姿勢調整台とを備える。ＬＥＤモジュールは、放熱ホルダと、ＬＥＤとを含む。ＬＥＤが発する熱は、放熱ホルダに伝えられる。放熱ホルダに伝えられた熱は、姿勢調整台に伝えられて放熱される。
【先行技術文献】
【特許文献】
【０００３】
【特許文献１】特開２０１４−１１０１５３号公報
【発明の概要】
【発明が解決しようとする課題】
【０００４】
しかしながら、特許文献１に記載されたＬＥＤ光源ユニットでは、姿勢調整台上に放熱ホルダが取り付けられている。そして、姿勢調整台は、ＬＥＤの照射方向と反対方向に延びている。従って、ＬＥＤ光源ユニットは、照射方向に大きくなる。
【０００５】
本発明は上記課題に鑑みてなされたものであり、その目的は、発光素子からの熱を放散しつつ、小型化できる光源ユニット、光源装置及び照明器具を提供することにある。
【課題を解決するための手段】
【０００６】
本願に開示する光源ユニットは、光源部と、ベース部と、放熱部とを備える。光源部は、発光素子を含む。ベース部は、第１貫通孔を有し、前記光源部が固定されている。放熱部は、発光素子からの熱を放散する。前記放熱部は、前記発光素子の実装面の反対面の側に配置され、前記発光素子から離れるように前記第１貫通孔を貫通している。
【０００７】
本願に開示する光源ユニットにおいて、前記光源部は、前記実装面と前記反対面とを有する基板をさらに含むことが好ましい。前記放熱部は、配置部と、本体部とを含むことが好ましい。配置部は、前記基板の前記反対面に対向し、前記基板が配置されていることが好ましい。本体部は、前記発光素子から離れるように、前記配置部から延びていることが好ましい。前記本体部は、前記第１貫通孔を貫通していることが好ましい。前記配置部は、前記本体部の側面に対して張り出している張出部を含むことが好ましい。
【０００８】
本願に開示する光源ユニットにおいて、前記ベース部は、前記張出部が嵌合している嵌合部を含むことが好ましい。前記嵌合部は、前記第１貫通孔の周縁に配置されていることが好ましい。
【０００９】
本願に開示する光源ユニットにおいて、前記光源部は、保持部をさらに含むことが好ましい。保持部は、開口を有し、前記開口から前記発光素子が露出するように前記基板を保持することが好ましい。前記保持部は、前記ベース部に固定されていることが好ましい。
【００１０】
本願に開示する光源ユニットにおいて、前記保持部は、前記基板を収容する凹部を含むことが好ましい。
【００１１】
本願に開示する光源ユニットは、前記光源部を覆うカバーをさらに備えることが好ましい。前記カバーは、前記光源部に固定されていることが好ましい。
【００１２】
本願に開示する光源装置は、上記の光源ユニットと、前記光源ユニットが装着される装着部材とを備える。前記光源ユニットは、前記装着部材に対して着脱自在である。
【００１３】
本願に開示する光源装置において、前記装着部材は、前記第１貫通孔に連通している第２貫通孔を有することが好ましい。前記光源部は、前記実装面と前記反対面とを有する基板をさらに含むことが好ましい。前記放熱部は、配置部と、本体部とを含むことが好ましい。配置部は、前記基板の前記反対面に対向し、前記基板が配置されていることが好ましい。本体部は、前記発光素子から離れるように、前記配置部から延びていることが好ましい。前記本体部は、胴部と、突出部とを含むことが好ましい。胴部は、前記第２貫通孔に配置されていることが好ましい。突出部は、前記第２貫通孔から突出していることが好ましい。
【００１４】
本願に開示する光源装置において、前記装着部材は、前記突出部に対向している少なくとも２つの通気口を有することが好ましい。
【００１５】
本願に開示する光源装置において、前記装着部材は、前記装着部材と前記胴部との間に間隙を有するように、前記胴部を囲んでいることが好ましい。
【００１６】
本願に開示する照明器具は、上記に記載の光源装置を備える。
【発明の効果】
【００１７】
本発明によれば、発光素子からの熱を放散しつつ、小型化できる。
【図面の簡単な説明】
【００１８】
【図１】本発明の実施形態に係る照明器具を示す模式的断面図である。
【図２】本発明の実施形態に係る光源装置を示す斜視図である。
【図３】本発明の実施形態に係る光源装置を発光素子の側から示す分解斜視図である。
【図４】本発明の実施形態に係る光源装置を発光素子の反対側から示す分解斜視図である。
【図５】本発明の実施形態に係る光源装置を示す平面図である。
【図６】図５のＶＩ−ＶＩ線に沿った模式的断面図である。
【図７】図５のＶＩＩＩ−ＶＩＩＩ線に沿った断面斜視図である。
【図８】図５のＶＩＩＩ−ＶＩＩＩ線に沿った模式的断面図である。
【発明を実施するための形態】
【００１９】
以下、本発明の実施形態について、図面を参照しながら説明する。なお、図中、同一または相当部分については同一の参照符号を付して説明を繰り返さない。
【００２０】
図１は、本発明の実施形態に係る照明器具１を示す模式的断面図である。図１に示すように、照明器具１は、光源装置１０と、コード２０と、基台３０と、取付部材４０と、セード５０とを備える。照明器具１は、例えば、ペンダントライトのような吊下げ灯である。図１では、図面の簡略化のため、断面を示す斜線を省略している。取付部材４０は、例えば、取付面Ｃに取り付けられる。取付面Ｃは、例えば、天井ボードの裏面と表面とのうちの表面である。本実施形態では、取付面Ｃは、水平方向に沿って延びており、水平方向に略平行である。なお、取付面Ｃは水平方向に対して傾斜していてもよい。
【００２１】
コード２０の一方端は、取付部材４０から引き出され、基台３０に接続されている。コード２０の他方端は、外部電源に接続されている。本実施形態において、外部電源は商用電源である。セード５０は、光源装置１０を覆っている。
【００２２】
光源装置１０は、光源ユニット１００と、光源ユニット１００が装着される装着部材１６０とを備える。装着部材１６０は、基台３０に取り付けられている。具体的には、装着部材１６０は、光源ユニット１００の反対側で基台３０に取り付けられている。
【００２３】
光源ユニット１００は、装着部材１６０に対して着脱自在である。光源ユニット１００は、光源部１１０と、放熱部１２０と、ベース部１５０とを備える。光源部１１０は、複数の発光素子１１１を含む。発光素子１１１は、例えば、照射方向ＬＡに向かって最も強く発光する。照射方向ＬＡは発光素子１１１の光軸に略平行である。発光素子１１１は、本実施形態では、ＬＥＤ（Ｌｉｇｈｔ  Ｅｍｉｔｔｉｎｇ  Ｄｉｏｄｅ）である。なお、光源部１１０は単数の発光素子１１１を含んでいてもよい。
【００２４】
ベース部１５０は、第１貫通孔１５３を有する。第１貫通孔１５３は、照射方向ＬＡに沿ってベース部１５０を貫通している。ベース部１５０には、光源部１１０が固定されている。
【００２５】
放熱部１２０は、発光素子１１１からの熱を放散する。放熱部１２０は、光源部１１０とベース部１５０とで挟持されている。放熱部１２０は、発光素子１１１の実装面１１８ａの反対面１１８ｂの側に配置され、発光素子１１１から離れるように第１貫通孔１５３を貫通している。従って、本実施形態によれば、発光素子１１１からの熱を放散しつつ、光源ユニット１００を小型化できる。小型化できる理由は、放熱部とベース部とが照射方向ＬＡに並んで配置されている場合と比較して、光源ユニット１００の照射方向ＬＡに沿った長さが短くなるからである。また、放熱部がベース部の外側に配置されるとともに、放熱部と発光素子の実装面とを放熱グリスを介在させて接続する場合と比較して、簡素な構成により光源部１１０が発する熱を放散できる。
【００２６】
また、本実施形態によれば、光源ユニット１００は、１ユニット化され、装着部材１６０に対して着脱自在である。従って、光源ユニット１００を容易に取り外すことができる。その結果、光源ユニット１００を容易に交換できる。また、光源ユニット１００を容易に交換できるため、異なる種類の光源ユニットを容易に取り付けることができる。例えば、光源ユニット１００が出射する光と異なる光量及び／又は光色（例えば、相関色温度）を有する光を出射する光源ユニットを容易に取り付けることができる。
【００２７】
さらに、本実施形態によれば、光源ユニット１００は、１ユニット化され、装着部材１６０に対して着脱自在である。従って、照明器具１から光源ユニット１００だけを取り外して、光源ユニット１００を交換できる。その結果、光源ユニット１００に故障が生じたとしても照明器具１の全体を廃棄することなく、光源ユニット１００だけを廃棄できる。以下、図２〜図８を参照して、光源装置１０について詳細に説明する。
【００２８】
まず、図２及び図３を参照して、光源装置１０について詳細に説明する。図２は、光源装置１０を示す斜視図である。図２に示すように、光源ユニット１００は、装着部材１６０に装着されており、略円筒状又は略円柱状である。
【００２９】
図３は、光源装置１０を発光素子１１１の側から示す分解斜視図である。図３に示すように、光源ユニット１００は、放熱シート１２５と、カバー１４０と、結合具１１６とをさらに備える。
【００３０】
カバー１４０は、略ドーム状であり、光源部１１０を覆う。カバー１４０は、２つの係合孔１４１を有している。カバー１４０は、透明又は半透明であり、光源部１１０が出射した光を透過させる。ただし、カバー１４０は、光源部１１０が出射した光を拡散して出射してもよい。例えば、カバー１４０は、光拡散材料を混ぜた樹脂を略ドーム状に成形することによって形成される。例えば、カバー１４０は、透明又は半透明の略ドーム状の部材の光出射面又は光入射面に微小な凹凸を設けることによって形成される。例えば、カバー１４０は、乳白色のような色彩を有していてもよい。さらに、カバー１４０は、略ドーム状に限定されず、任意の形状であってもよい。例えば、カバー１４０は、レンズ機能を有する形状を有していてもよい。レンズ機能とは、光を屈折させて、光を発散又は収束させる機能のことである。なお、図２では、図面の簡略化のため、カバー１４０の図示を省略している。
【００３１】
光源部１１０は、基板１１２と、保持部１１３とをさらに含む。光源部１１０は、照射方向ＬＡに向かってカバー１４０の側に光を出射する。具体的には、光源部１１０に含まれる発光素子１１１の各々は、照射方向ＬＡに向かってカバー１４０の側に光を出射する。
【００３２】
保持部１１３は、略円盤状であり、絶縁体により形成される。具体的には、保持部１１３は、２つの貫通孔１１３ｃ、開口１１４、及び２つの爪部１１５を有している。開口１１４は、略円形状であり、保持部１１３の略中央部に位置する。図２に示すように、保持部１１３は、開口１１４から発光素子１１１が露出するように基板１１２を保持する。
【００３３】
図３に示すように、２つの貫通孔１１３ｃは、保持部１１３の径方向において開口１１４を挟むように位置している。２つの貫通孔１１３ｃの各々は、照射方向ＬＡに沿って保持部１１３を貫通している。
【００３４】
２つの爪部１１５は、保持部１１３の径方向に沿って開口１１４を挟むように位置している。２つの爪部１１５は、それぞれ、カバー１４０の２つの係合孔１４１に係合する。その結果、カバー１４０は、保持部１１３に固定されるとともに、保持部１１３のうち少なくとも開口１１４を覆う。すなわち、カバー１４０は、光源部１１０に固定されるとともに、光源部１１０を覆う。
【００３５】
複数の発光素子１１１は、基板１１２の実装面１１８ａに取り付けられている。本実施形態では、複数の発光素子１１１は、ＣＯＢ（Ｃｈｉｐ  ｏｎ  Ｂｏａｒｄ）タイプである。ＣＯＢタイプでは、基板１１２の実装面１１８ａ上で複数のＬＥＤが蛍光体で封止されている。なお、複数の発光素子１１１は、ＳＭＤ（Ｓｕｒｆａｃｅ  Ｍｏｕｎｔ  Ｄｅｖｉｃｅ）タイプであってもよい。ＳＭＤタイプでは、ＬＥＤと蛍光体とを１ユニット化してＬＥＤチップが形成され、複数のＬＥＤチップが基板１１２の実装面１１８ａに載置され、基板１１２の導電パターンに電気的に接続されている。複数の発光素子１１１がＳＭＤタイプである場合には、光源部１１０は、保持部１１３を有していなくてもよい。そして、基板１１２が、ネジなどの固定具によって放熱部１２０またはベース部１５０に固定されてもよい。なお、本明細書では、図面の簡略化のため、複数の発光素子１１１をまとめて円板状に示している。
【００３６】
基板１１２は、平面視において略矩形状である。基板１１２は、照射方向ＬＡに略直交する。基板１１２は、実装面１１８ａと反対面１１８ｂとを有する。実装面１１８ａは、基板１１２のうち、カバー１４０の側の面である。反対面１１８ｂは、基板１１２のうち、実装面１１８ａの反対側の面であり、放熱部１２０の側の面である。
【００３７】
基板１１２は、アノード電極１１２ａとカソード電極１１２ｂとを有する。アノード電極１１２ａとカソード電極１１２ｂとは、基板１１２の実装面１１８ａ上に位置する。アノード電極１１２ａとカソード電極１１２ｂとは、それぞれ、基板１１２の対向する一対の隅部に位置する。アノード電極１１２ａ及びカソード電極１１２ｂは、それぞれ、発光素子１１１のアノード及びカソードと電気的に接続されている。
【００３８】
放熱シート１２５は、略円形状である。放熱シート１２５は、例えば合成ゴム製のシート材により形成される。放熱シート１２５は、光源部１１０と放熱部１２０との間に介在する。具体的には、放熱シート１２５の一対の面のうち一方の面は、基板１１２の反対面１１８ｂに対向している。また、放熱シート１２５の他方の面は、放熱部１２０に対向している。
【００３９】
放熱シート１２５は、基板１１２の反対面１１８ｂと放熱部１２０とに密着している。従って、放熱シート１２５は、発光素子１１１からの熱を放熱部１２０に効率良く伝達する。
【００４０】
放熱部１２０は、配置部１２１と本体部１２２とを含む。配置部１２１は、略円板状であり、基板１１２の反対面１１８ｂに対向している。具体的には、配置部１２１は、放熱シート１２５を介して反対面１１８ｂに対向している。配置部１２１は、基板１１２に沿って延びている。そして、配置部１２１は、照射方向ＬＡに略直交するように、基板１１２に略平行に配置される。配置部１２１には、基板１１２が配置されている。
【００４１】
本体部１２２は略截頭錐体状である。本実施形態では、本体部１２２は略円錐台状である。本体部１２２は、発光素子１１１から離れるように、配置部１２１から延びている。具体的には、本体部１２２は、照射方向ＬＡと反対方向に向かって、配置部１２１から延びている。本体部１２２は、単数又は複数のフィンを有してもよい。配置部１２１は、張出部１２１ａを含む。張出部１２１ａは、本体部１２２の側面１２３に対して張り出している。具体的には、張出部１２１ａは、照射方向ＬＡと直交する方向に沿って、側面１２３に対して張り出している。
【００４２】
放熱部１２０は、発光素子１１１からの熱を放散する。具体的には、放熱部１２０は、放熱シート１２５によって伝達される光源部１１０からの熱を放散する。本明細書において、熱の放散とは、放熱のことであり、発熱または蓄熱している物体から、その物体の周囲の空気へ熱が伝わることである。また、光源部１１０が発した熱の大部分は、発光素子１１１が発した熱である。放熱部１２０は、伝熱性の高い材料で形成されており、例えば金属で形成されていることが好ましい。金属の中でも、成形加工の容易性や照明器具１の軽量化を考慮し、例えばアルミニウムまたはアルミニウム合金（例えばＡＤＣ１２）で形成されていることが好ましい。放熱部１２０は、光源部１１０の異常な温度上昇を抑制できる。また、放熱部１２０は、無垢材であることが好ましい。この場合、放熱部が空洞を有する場合より放熱部１２０の体積が大きくなるため、放熱部１２０は、光源部１１０の異常な温度上昇をさらに抑制できる。
【００４３】
ベース部１５０は、略円環状であり、絶縁体により形成される。ベース部１５０の第１貫通孔１５３は、略円形状であり、ベース部１５０の略中央部に位置する。ベース部１５０は、嵌合部１５４を含む。嵌合部１５４は、第１貫通孔１５３の周縁に配置されている。嵌合部１５４は、壁面１５４ａ及び嵌合面１５４ｂを有する。嵌合部１５４には、張出部１２１ａが嵌合している。
【００４４】
壁面１５４ａは、略円筒状であり、嵌合面１５４ｂの外縁から照射方向ＬＡに沿って延びる。壁面１５４ａは、ベース部１５０の内周面を構成する。壁面１５４ａは、配置部１２１の外周面を囲む。嵌合面１５４ｂは、略円環状である。嵌合面１５４ｂは、壁面１５４ａから径方向に突出している。嵌合面１５４ｂは、張出部１２１ａに沿った平坦面であり、張出部１２１ａに対向する。具体的には、嵌合面１５４ｂは、張出部１２１ａのうち、基板１１２が配置される面の反対面に対向する。嵌合面１５４ｂの外径は、放熱部１２０の配置部１２１の外径より大きい。
【００４５】
ベース部１５０は、２つのネジ孔１５０ｃ、アノード電極１５１ａ、及びカソード電極１５１ｂをさらに有する。２つのネジ孔１５０ｃの位置は、保持部１１３の２つの貫通孔１１３ｃの位置に対向する。２つのネジ孔１５０ｃは、ベース部１５０の径方向に沿って第１貫通孔１５３を挟むように位置している。アノード電極１５１ａ及びカソード電極１５１ｂは、ベース部１５０の径方向に沿って第１貫通孔１５３を挟むように位置している。また、アノード電極１５１ａ及びカソード電極１５１ｂは、それぞれ、ベース部１５０のうち、保持部１１３に対向する面に位置している。
【００４６】
結合具１１６は、本実施形態では、ネジである。２つの結合具１１６は、それぞれ、保持部１１３の２つの貫通孔１１３ｃを貫通する。そして、２つの結合具１１６は、それぞれ、ベース部１５０の２つのネジ孔１５０ｃに螺合される。その結果、保持部１１３はベース部１５０に固定される。この場合、配置部１２１は嵌合部１５４に嵌合し、本体部１２２は第１貫通孔１５３を貫通している。加えて、基板１１２は、放熱シート１２５を介して放熱部１２０の配置部１２１に配置される。換言すれば、保持部１１３は、放熱シート１２５を介して、基板１１２が放熱部１２０の配置部１２１に配置されるように基板１１２を保持しつつ、ベース部１５０に固定されている。
【００４７】
装着部材１６０は、略円筒状であり、絶縁体により形成される。装着部材１６０は、第２貫通孔１６２、２つの口金受け部１６７、及び２つの取付孔１６１を有する。第２貫通孔１６２は、略円形状であり、装着部材１６０の略中央部に位置する。第２貫通孔１６２は、照射方向ＬＡに沿って装着部材１６０を貫通している。
【００４８】
２つの口金受け部１６７は、第２貫通孔１６２を挟むように位置している。口金受け部１６７の各々は、挿入穴１６０ａ及び係合溝１６０ｂを有する。本実施形態において、挿入穴１６０ａは、略円柱状であり、係合溝１６０ｂは、湾曲している溝である。２つの係合溝１６０ｂは、それぞれ、２つの挿入穴１６０ａに連通している。
【００４９】
２つの取付孔１６１は、照射方向ＬＡに沿って装着部材１６０を貫通している。２つの取付孔１６１は、第２貫通孔１６２を挟むように位置している。２つの取付孔１６１は、装着部材１６０を基台３０（図１）に取り付けるための孔である。例えば、２つのネジが、光源ユニット１００の側からそれぞれ２つの取付孔１６１を貫通し、基台３０のネジ孔に螺合される。その結果、装着部材１６０が基台３０に取り付けられる。
【００５０】
以上、図２及び図３を参照して説明したように、本実施形態によれば、配置部１２１の張出部１２１ａは、本体部１２２に対して張り出している。従って、配置部を設けることなく本体部に基板１１２を配置する場合と比較して、面積の大きい基板１１２を配置部１２１に配置することができる。その結果、専有面積が大きくなる多数の発光素子１１１を容易に搭載できる。
【００５１】
また、本実施形態によれば、保持部１１３は、開口１１４から発光素子１１１が露出するように基板１１２を保持する。従って、ＣＯＢタイプの複数の発光素子１１１を実装する際に好適である。
【００５２】
さらに、本実施形態によれば、保持部１１３は、基板１１２を保持しつつベース部１５０に固定されている。従って、基板１１２の反対面１１８ｂが、放熱シート１２５を介して放熱部１２０の配置部１２１に押し付けられる。その結果、放熱部１２０の照射方向ＬＡに沿った移動が規制され、放熱部１２０の照射方向ＬＡの位置決めが容易になる。
【００５３】
さらに、本実施形態によれば、カバー１４０が光源部１１０に固定された状態で、光源ユニット１００を装着部材１６０から取り外すことができる。従って、発光素子１１１が露出されることなく、光源ユニット１００を装着部材１６０から取り外すことができる。その結果、光源ユニット１００を交換する際に、作業者が、発光素子１１１、アノード電極１１２ａ、及びカソード電極１１２ｂに接触することを防止できる。
【００５４】
さらに、本実施形態によれば、放熱部１２０は、配置部１２１から延びている本体部１２２を有する。従って、本体部を有しない放熱部と比較して、放熱部１２０の体積が大きくなり、放熱部１２０による光源部１１０が発した熱の放散が促進される。その結果、簡素な構成でありながら、光源部１１０が発する熱を更に効果的に放散できる。
【００５５】
さらに、本実施形態によれば、嵌合部１５４は第１貫通孔１５３の周縁に配置されている。加えて、ベース部１５０の嵌合部１５４には、放熱部１２０の張出部１２１ａが嵌合している。従って、放熱部１２０の所定方向に沿った移動が規制され、放熱部１２０の所定方向の位置決めが容易になる。その結果、放熱部１２０が放熱シート１２５を介して基板１１２の反対面１１８ｂに対向するように、放熱部１２０を容易に位置決めすることができる。本明細書では、所定方向とは、照射方向ＬＡに略直交する方向のことである。
【００５６】
次に、図４を参照して、引き続き、光源装置１０について詳細に説明する。図４は、光源装置１０を発光素子１１１の反対側から示す分解斜視図である。図４では、図面の簡略化のため、カバー１４０の図示を省略している。図４に示すように、保持部１１３は、凹部１１７を含む。凹部１１７は、略矩形状の外縁を有する。凹部１１７は、保持部１１３のうち放熱部１２０の側に位置する。また、凹部１１７は、保持部１１３の略中央部に位置する。凹部１１７は、基板１１２を収容する。具体的には、凹部１１７は、基板１１２の実装面１１８ａが凹部１１７に当接するように、基板１１２を収容する。凹部１１７は、保持部１１３の開口１１４に連通している。従って、基板１１２が凹部１１７に収容されることによって、開口１１４から発光素子１１１が露出する。
【００５７】
保持部１１３は、アノード電極１１７ａとカソード電極１１７ｂとアノード電極１１９ａとカソード電極１１９ｂとを有する。アノード電極１１７ａとカソード電極１１７ｂとは、凹部１１７内に位置する。アノード電極１１７ａとカソード電極１１７ｂとは、それぞれ、凹部１１７の対向する一対の隅部に位置する。アノード電極１１７ａ及びカソード電極１１７ｂは、それぞれ、基板１１２のアノード電極１１２ａ及びカソード電極１１２ｂと電気的に接続されている。アノード電極１１９ａとカソード電極１１９ｂとは、実装面１１８ａに沿った方向において凹部１１７を挟むように位置している。アノード電極１１９ａ及びカソード電極１１９ｂは、保持部１１３のうち、ベース部１５０に対向する面に位置している。アノード電極１１９ａ及びカソード電極１１９ｂは、それぞれ、アノード電極１１７ａ及びカソード電極１１７ｂに電気的に接続されている。また、アノード電極１１９ａ及びカソード電極１１９ｂは、それぞれ、アノード電極１５１ａ及びカソード電極１５１ｂに電気的に接続されている。
【００５８】
ベース部１５０は、口金１５５ａ及び口金１５５ｂを有する。口金１５５ａ及び口金１５５ｂは、ベース部１５０のうち装着部材１６０に対向する面に位置する。口金１５５ａ及び口金１５５ｂは、第１貫通孔１５３を挟むように位置している。口金１５５ａ及び口金１５５ｂは、それぞれ、アノード電極１５１ａ及びカソード電極１５１ｂに電気的に接続されている。
【００５９】
図３及び図４に示すように、口金１５５ａ及び口金１５５ｂは、それぞれ、装着部材１６０の２つの挿入穴１６０ａに挿入される。そして、ベース部１５０を回転方向Ｄに回転させると、口金１５５ａ及び口金１５５ｂは、それぞれ、２つの係合溝１６０ｂに沿って移動する。その結果、ベース部１５０が装着部材１６０に装着される。つまり、光源ユニット１００が装着部材１６０に装着される。本実施形態では、装着部材１６０は、口金１５５ａ及び口金１５５ｂに対応したソケットである。口金１５５ａ及び口金１５５ｂは、それぞれ、電気導電体である。
【００６０】
装着部材１６０は、２つの引出孔１６３を有する。２つの引出孔１６３は、装着部材１６０の径方向に沿って第２貫通孔１６２を挟むように位置している。２つの引出孔１６３からは、それぞれ、光源部１１０に第１電源電圧及び第２電源電圧を印加するための２本の電源線が引き出される。２本の電源線は、光源部１１０に電力を供給するために、それぞれ、口金１５５ａに第１電源電圧を印加し、口金１５５ｂに第２電源電圧を印加する。
【００６１】
第１電源電圧は、例えばプラス電位を示す。口金１５５ａに印加された第１電源電圧は、ベース部１５０のアノード電極１５１ａに印加される。次に、ベース部１５０のアノード電極１５１ａに印加された第１電源電圧は、保持部１１３のアノード電極１１９ａに印加される。そして、アノード電極１１９ａに印加された第１電源電圧は、凹部１１７に位置するアノード電極１１７ａに印加され、基板１１２のアノード電極１１２ａを介して発光素子１１１のアノードに印加される。
【００６２】
一方、第２電源電圧は、例えば接地電位を示す。口金１５５ｂに印加された第２電源電圧は、ベース部１５０のカソード電極１５１ｂに印加される。次に、ベース部１５０のカソード電極１５１ｂに印加された第２電源電圧は、保持部１１３のカソード電極１１９ｂに印加される。そして、カソード電極１１９ｂに印加された第２電源電圧は、凹部１１７に位置するカソード電極１１７ｂに印加され、基板１１２のカソード電極１１２ｂを介して発光素子１１１のカソードに印加される。
【００６３】
以上、図４を参照して説明したように、本実施形態によれば、凹部１１７には、基板１１２が収容される。従って、基板１１２の所定方向に沿った移動を規制できる。その結果、基板１１２の所定方向の位置決めが容易になる。
【００６４】
また、本実施形態によれば、凹部１１７及び放熱部１２０の配置部１２１によって、基板１１２が挟持される。従って、基板１１２の照射方向ＬＡに沿った移動を規制できる。その結果、基板１１２の照射方向ＬＡの位置決めが容易になる。
【００６５】
次に、図５及び図６を参照して、引き続き、光源装置１０について詳細に説明する。図５は、光源装置１０を示す平面図である。図６は、図５のＶＩ−ＶＩ線に沿った模式的断面図である。図６では、図面の簡略化のため、光源部１１０の断面を示す斜線を省略している。図６に示すように、光源ユニット１００が装着部材１６０に装着されている。保持部１１３の２つの貫通孔１１３ｃは、それぞれ、ベース部１５０の２つのネジ孔１５０ｃに連通している。そして、結合具１１６は、貫通孔１１３ｃを貫通して、ネジ孔１５０ｃに螺合されている。
【００６６】
２つの係合溝１６０ｂは、それぞれ断面視において、略Ｔ字状である。口金１５５ａ及び口金１５５ｂは、それぞれ断面視において、略Ｔ字状である。従って、口金１５５ａ及び口金１５５ｂは、それぞれ、２つの係合溝１６０ｂに係合する。その結果、光源ユニット１００が照射方向ＬＡに移動することを規制でき、光源ユニット１００が装着部材１６０から抜けることを防止できる。また、光源ユニット１００が所定方向に移動することを規制できる。
【００６７】
次に、図７及び図８を参照して、引き続き、光源装置１０について詳細に説明する。図７は、図５のＶＩＩＩ−ＶＩＩＩ線に沿った断面斜視図である。図７では、図面の簡略化のため、断面を示す斜線を省略している。図８は、図５のＶＩＩＩ−ＶＩＩＩ線に沿った模式的断面図である。図８では、図面の簡略化のため、光源部１１０の断面を示す斜線を省略している。
【００６８】
図７及び図８に示すように、光源ユニット１００が装着部材１６０に装着されている。ベース部１５０の第１貫通孔１５３は、装着部材１６０の第２貫通孔１６２に連通している。放熱部１２０の本体部１２２は、第１貫通孔１５３及び第２貫通孔１６２を貫通している。
【００６９】
本体部１２２は、胴部１２２ａと、突出部１２２ｂとを含む。胴部１２２ａは、第２貫通孔１６２に配置されている。そして、胴部１２２ａは、装着部材１６０の内周面に囲まれている。胴部１２２ａは、略截頭錐体状である。本実施形態では、胴部１２２ａは、略円錐台状である。突出部１２２ｂは、胴部１２２ａから延びており、第２貫通孔１６２から突出している。具体的には、突出部１２２ｂは、装着部材１６０の裏面１６９に対して第２貫通孔１６２から長さＬ１だけ、照射方向ＬＡの反対方向に突出している。例えば、長さＬ１は、２ｍｍ以上３ｍｍ以下である。
【００７０】
装着部材１６０は、本体部１６４と少なくとも２つの壁部１６５とを含む。装着部材１６０は、少なくとも２つの通気口１６０ｃを有する。本実施形態では、装着部材１６０は、互いに対向する２つの壁部１６５を含む。壁部１６５は、湾曲し、本体部１６４の裏面１６９から突出している。具体的には、壁部１６５は、装着部材１６０の裏面１６９に対して裏面１６９から長さＬ２だけ、照射方向ＬＡの反対方向に突出している。長さＬ２は長さＬ１よりも長い。従って、突出部１２２ｂは、基台３０に接触しない。２つの壁部１６５は円周上に、間隔をおいて位置している。その結果、装着部材１６０は、互いに対向する２つの通気口１６０ｃを有している。図７及び図８では、２つの壁部１６５のうちの一方の壁部１６５が表れている。
【００７１】
本体部１６４には、挿入穴１６０ａ及び係合溝１６０ｂ（図６）が形成されている。本体部１６４は、放熱部１２０の胴部１２２ａを囲んでいる。具体的には、本体部１６４は、本体部１６４と胴部１２２ａとの間に間隙１６２ａを有するように、胴部１２２ａを囲んでいる。つまり、装着部材１６０は、装着部材１６０と胴部１２２ａとの間に間隙１６２ａを有するように、胴部１２２ａを囲んでいる。また、ベース部１５０と本体部１２２との間に間隙が形成されている。
【００７２】
２つの壁部１６５は、放熱部１２０の突出部１２２ｂに対向している。２つの壁部１６５は、突出部１２２ｂを挟むように位置している。２つの通気口１６０ｃは、突出部１２２ｂに対向している。２つの通気口１６０ｃは、突出部１２２ｂを挟むように位置している。突出部１２２ｂは、２つの通気口１６０ｃ及び２つの壁部１６５によって囲まれている。
【００７３】
次に、図８を参照して、放熱部１２０による放熱について説明する。光源部１１０の発光時及び発光直後では、発光素子１１１が発熱するため、発光素子１１１からの熱は、放熱シート１２５を介して放熱部１２０に伝達される。熱は、放熱部１２０の配置部１２１から本体部１２２の胴部１２２ａに伝達され、更に胴部１２２ａから突出部１２２ｂに伝達される。そして、突出部１２２ｂの雰囲気温度が光源装置１０の外気温度よりも高い場合、突出部１２２ｂの周辺で空気が膨張して空気の密度が下がり、対流Ａが発生し易い。その結果、突出部１２２ｂに伝達された熱は、対流Ａによって、通気口１６０ｃを通って、光源装置１０の外部に運ばれる。つまり、対流Ａによって、放熱部１２０による熱の放散を促進でき、発光素子１１１からの熱を効果的に放散できる。例えば、２つの通気口１６０ｃは、それぞれ、給気口及び排気口として機能する。
【００７４】
以上、図７及び図８を参照して説明したように、本実施形態によれば、放熱部１２０の突出部１２２ｂは、第２貫通孔１６２から突出している。従って、光源部１１０から突出部１２２ｂに熱が伝達されると、突出部１２２ｂの周辺で対流Ａが発生し易くなるため、突出部１２２ｂに伝達された熱の放散が促進される。その結果、光源部１１０が発する熱を更に効果的に放散できる。
【００７５】
また、本実施形態によれば、装着部材１６０は、突出部１２２ｂに対向している２つの通気口１６０ｃを有する。従って、対流Ａが更に発生し易くなるため、対流Ａによる熱の移動量が増加する。その結果、突出部１２２ｂに伝達された光源部１１０からの熱が更に効果的に放散される。
【００７６】
さらに、本実施形態によれば、装着部材１６０は、装着部材１６０と胴部１２２ａとの間に間隙１６２ａを有するように、胴部１２２ａを囲んでいる。従って、対流Ａが間隙１６２ａに入りこみ、光源部１１０から胴部１２２ａに伝達された熱を対流Ａによって効果的に放散できる。その結果、放熱部１２０によって光源部１１０からの熱が更に効果的に放散される。
【００７７】
さらに、本実施形態によれば、突出部１２２ｂは、２つの通気口１６０ｃに対向している。従って、突出部１２２ｂは、光源装置１０の外気に接触する面積が広くなる。その結果、放熱部１２０によって光源部１１０からの熱が更に効果的に放散される。
【００７８】
さらに、本実施形態によれば、装着部材１６０は、２つの通気口１６０ｃを有する。従って、光源装置１０の内部に熱が籠りにくい。その結果、熱の放散を更に促進できる。
【００７９】
なお、図６〜図８では、理解を容易にするため、配置部１２１と胴部１２２ａとの境界、及び胴部１２２ａと突出部１２２ｂとの境界を、破線で示している。
【００８０】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）及び（２））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００８１】
（１）図２を参照して説明したように、本実施形態では、配置部１２１は、略円板状であったが、配置部１２１の形状は略円板状に限定されず、任意の形状でよい。例えば、配置部１２１は、略多角形状であってもよい。また、基板１１２は、略矩形状であるが、基板１１２は、略円形状であってもよいし、略多角形状であってもよい。
【００８２】
（２）図７及び図８を参照して説明したように、本実施形態において、装着部材１６０は、２つの通気口１６０ｃを有したが、装着部材１６０は、３以上の複数の通気口１６０ｃを有してもよい。
【産業上の利用可能性】
【００８３】
本発明は、光源ユニット、光源装置、及び照明器具の分野に利用可能である。
【符号の説明】
【００８４】
１        照明器具
１０      光源装置
１００    光源ユニット
１１０    光源部
１１１    発光素子
１１２    基板
１１４    開口
１１８ａ  実装面
１１８ｂ  反対面
１１３    保持部
１１６    結合具
１１７    凹部
１２０    放熱部
１２１    配置部
１２１ａ  張出部
１２２    本体部
１２２ａ    胴部
１２２ｂ    突出部
１４０    カバー
１５０    ベース部
１５３    第１貫通孔
１５４    嵌合部
１６０    装着部材
１６０ｃ  通気口
１６２    第２貫通孔
１６２ａ  間隙
【図１】
2017183066.tif 000003
【図２】
2017183066.tif 000004
【図３】
2017183066.tif 000005
【図４】
2017183066.tif 000006
【図５】
2017183066.tif 000007
【図６】
2017183066.tif 000008
【図７】
2017183066.tif 000009
【図８】
2017183066.tif 000010